(57)【要約】【課題】  バランスゲーム用駒同士の連結に困難性を有し、バランスゲーム用駒を略水平方向に連結していくので、視覚的に面白みがあり、バランスゲームをより興趣あるものにすることができるバランスゲーム用駒を提供する。【解決手段】  バランスゲーム用駒１は、バランスゲーム本体６１に連結していくものであって、一方に掛止片１０が設けられ、他方に他のバランスゲーム用駒１の掛止片１０を掛止する掛止部材２が設けられている。掛止片１０は、平板状に形成されている。掛止部材２は、掛止片１０の下面１０ｂに当接する当接突起９と、掛止片１０の上面１０ａに当接する当接板６を備え、他のバランスゲーム用駒１の掛止片１０を当接突起９と当接板６で挟持して連結するように形成されている。【選択図】図１
2013085697.tif 000002
【特許請求の範囲】
【請求項１】
バランスゲーム本体に連結していくバランスゲーム用駒であって、
一方に掛止片が設けられ、他方に他のバランスゲーム用駒の掛止片を掛止する掛止部材が設けられ、
掛止片は、平板状に形成され、
掛止部材は、掛止片の下面に当接する当接突起と、掛止片の上面に当接する当接板を備え、他のバランスゲーム用駒の掛止片を当接突起と当接板で挟持して連結するように形成されていることを特徴とするバランスゲーム用駒。
【請求項２】
バランスゲーム本体に連結していくバランスゲーム用駒であって、
一方に掛止片が設けられ、他方に他のバランスゲーム用駒の掛止片を掛止する掛止部材が設けられ、
掛止片は、平板状に形成され、
掛止部材は、掛止片の下面に当接する下部当接板と、掛止片の上面に当接する上部当接板を備え、他のバランスゲーム用駒の掛止片を下部当接板と上部当接板で挟持して連結するように形成されていることを特徴とするバランスゲーム用駒。
【請求項３】
バランスゲーム本体に連結していくバランスゲーム用駒であって、
一方に掛止片が設けられ、他方に他のバランスゲーム用駒の掛止片を掛止する掛止部材が設けられ、
掛止片は、平板状に形成され、下面又は上面に当接突起が設けられ、
掛止部材は、掛止片の当接突起に当接する下部当接板又は上部当接板と、掛止片の上面又は下面に当接する上部当接板又は下部当接板を備え、他のバランスゲーム用駒の掛止片を下部当接板と上部当接板で挟持して連結するように形成されていることを特徴とするバランスゲーム用駒。
【請求項４】
掛止片と掛止部材は、別体で構成され、連結軸を介して回動可能に連結されていることを特徴とする請求項１、２又は３記載のバランスゲーム用駒。
【請求項５】
バランスゲーム本体に連結していくバランスゲーム用駒であって、
下部に設けられた掛止片と、
掛止片の上部に設けられた当接板と、
掛止片と当接板を連結する連結固定軸とからなり、
他のバランスゲーム用駒の掛止片を掛止片と当接板で挟持して連結するように形成されていることを特徴とするバランスゲーム用駒。
【請求項６】
前記掛止片の上面又は下面には、当接突起が設けられ、
他のバランスゲーム用駒の掛止片の当接突起と下面又は上面を、掛止片と当接板で挟持して連結するように形成されていることを特徴とする請求項５記載のバランスゲーム用駒。
【請求項７】
請求項１乃至６のいずれか１項に記載のバランスゲーム用駒とバランスゲーム本体とからなり、
バランスゲーム本体は、下面が突出して湾曲した基台と、基台の略中央に設けられた支柱と、支柱の上部に設けられた掛止部とからなり、
掛止部は、バランスゲーム用駒の掛止片の下面側に当接する当接凸部が形成された下部板と、掛止片の上面側に当接する上部板とを備え、バランスゲーム用駒の掛止片を当接凸部と上部板で挟持して連結するように形成されていることを特徴とするバランスゲーム装置。
【請求項８】
請求項１乃至６のいずれか１項に記載のバランスゲーム用駒とバランスゲーム本体とからなり、
バランスゲーム本体は、下面が突出して湾曲した基台と、基台の略中央に設けられた支柱と、支柱の上部に設けられた掛止部とからなり、
掛止部は、バランスゲーム用駒の掛止片の下面側に当接する下部板と、掛止片の上面側に当接する上部板とを備え、バランスゲーム用駒の掛止片を下部板と上部板で挟持して連結するように形成されていることを特徴とするバランスゲーム装置。
【発明の詳細な説明】
【技術分野】
【０００１】
本発明は、バランスゲーム本体の一側に連続的に繋げてゲームを行うバランスゲーム用駒及びバランスゲーム装置に関するものである。
【背景技術】
【０００２】
従来バランスゲーム装置は、バランスゲーム本体と、バランスゲーム用駒とからなる。バランスゲーム本体は、下面が突出して湾曲した基台と、基台の略中央に立設された支柱と、支柱に設けられたアームとからなる。また、バランスゲーム用駒は、駒本体と、駒本体の上部と下部に形成されたフックとからなる（例えば、特許文献１）。
【０００３】
バランスゲーム用駒のフックは、バランスゲーム本体のアームに引っ掛けたり、他のバランスゲーム用駒のフックに引っ掛けたりすることができるように、略逆Ｊ字状に形成されている。バランスゲーム装置は、複数の遊戯者が交互にバランスゲーム用駒の上部フックをバランスゲーム本体のアーム又は他のバランスゲーム用駒の下部フックに引っ掛けていき、バランスゲーム本体がバランスを崩して倒れた時に勝敗を決定するものである。
【先行技術文献】
【特許文献】
【０００４】
【特許文献１】実開平２−１７１７９号公報
【発明の概要】
【発明が解決しようとする課題】
【０００５】
上記したバランスゲーム装置は、バランスゲーム用駒をバランスゲーム本体がバランスを崩して倒れないようにしてバランスゲーム本体にゆっくりと静かに引っ掛けていくが、引っ掛け部となるフックが略逆Ｊ字状に形成されているため、引っ掛けて連結すること自体が容易であり、連結に困難性が欠けるという問題点があった。また上記したバランスゲーム装置は、下方にバランスゲーム用駒を吊り下げていくだけであるので、視覚的に面白みが欠けるという問題点があった。
【０００６】
本願発明は、上記問題点に鑑み発明されたものであって、バランスゲーム用駒同士の連結に困難性を有し、バランスゲーム用駒を略水平方向に連結していくので、視覚的に面白みがあり、バランスゲームをより興趣あるものにすることができるバランスゲーム用駒及びバランスゲーム装置を提供することを目的とする。
【課題を解決するための手段】
【０００７】
本願請求項１に係るバランスゲーム用駒は、上記目的を達成するため、バランスゲーム本体に連結していくバランスゲーム用駒であって、一方に掛止片が設けられ、他方に他のバランスゲーム用駒の掛止片を掛止する掛止部材が設けられ、掛止片は、平板状に形成され、掛止部材は、掛止片の下面に当接する当接突起と、掛止片の上面に当接する当接板を備え、他のバランスゲーム用駒の掛止片を当接突起と当接板で挟持して連結するように形成されていることを特徴とする。
【０００８】
本願請求項２に係るバランスゲーム用駒は、上記目的を達成するため、バランスゲーム本体に連結していくバランスゲーム用駒であって、一方に掛止片が設けられ、他方に他のバランスゲーム用駒の掛止片を掛止する掛止部材が設けられ、掛止片は、平板状に形成され、掛止部材は、掛止片の下面に当接する下部当接板と、掛止片の上面に当接する上部当接板を備え、他のバランスゲーム用駒の掛止片を下部当接板と上部当接板で挟持して連結するように形成されていることを特徴とする。
【０００９】
本願請求項３に係るバランスゲーム用駒は、上記目的を達成するため、バランスゲーム本体に連結していくバランスゲーム用駒であって、一方に掛止片が設けられ、他方に他のバランスゲーム用駒の掛止片を掛止する掛止部材が設けられ、掛止片は、平板状に形成され、下面又は上面に当接突起が設けられ、掛止部材は、掛止片の当接突起に当接する下部当接板又は上部当接板と、掛止片の上面又は下面に当接する上部当接板又は下部当接板を備え、他のバランスゲーム用駒の掛止片を下部当接板と上部当接板で挟持して連結するように形成されていることを特徴とする。
【００１０】
本願請求項４に係るバランスゲーム用駒は、上記目的を達成するため、掛止片と掛止部材は、別体で構成され、連結軸を介して回動可能に連結されていることを特徴とする。
【００１１】
本願請求項５に係るバランスゲーム用駒は、上記目的を達成するため、バランスゲーム本体に連結していくバランスゲーム用駒であって、下部に設けられた掛止片と、掛止片の上部に設けられた当接板と、掛止片と当接板を連結する連結固定軸とからなり、他のバランスゲーム用駒の掛止片を掛止片と当接板で挟持して連結するように形成されていることを特徴とする。
【００１２】
本願請求項６に係るバランスゲーム用駒は、上記目的を達成するため、前記掛止片の上面又は下面には、当接突起が設けられ、他のバランスゲーム用駒の掛止片の当接突起と下面又は上面を、掛止片と当接板で挟持して連結するように形成されていることを特徴とする。
【００１３】
本願請求項７に係るバランスゲーム装置は、上記目的を達成するため、上記バランスゲーム用駒とバランスゲーム本体とからなり、バランスゲーム本体は、下面が突出して湾曲した基台と、基台の略中央に設けられた支柱と、支柱の上部に設けられた掛止部とからなり、掛止部は、バランスゲーム用駒の掛止片の下面側に当接する当接凸部が形成された下部板と、掛止片の上面側に当接する上部板とを備え、バランスゲーム用駒の掛止片を当接凸部と上部板で挟持して連結するように形成されていることを特徴とする。
【００１４】
本願請求項８に係るバランスゲーム装置は、上記目的を達成するため、上記バランスゲーム用駒とバランスゲーム本体とからなり、バランスゲーム本体は、下面が突出して湾曲した基台と、基台の略中央に設けられた支柱と、支柱の上部に設けられた掛止部とからなり、掛止部は、バランスゲーム用駒の掛止片の下面側に当接する下部板と、掛止片の上面側に当接する上部板とを備え、バランスゲーム用駒の掛止片を下部板と上部板で挟持して連結するように形成されていることを特徴とする。
【発明の効果】
【００１５】
本願発明に係るバランスゲーム用駒は、バランスゲーム本体に連結していくバランスゲーム用駒であって、一方に掛止片が設けられ、他方に他のバランスゲーム用駒の掛止片を掛止する掛止部材が設けられ、掛止片は、平板状に形成され、掛止部材は、掛止片の下面に当接する当接突起と、掛止片の上面に当接する当接板を備え、他のバランスゲーム用駒の掛止片を当接突起と当接板で挟持して連結するように形成されている。
【００１６】
本願発明に係るバランスゲーム用駒は、掛止片を他のバランスゲーム用駒の掛止部材の当接突起と当接板間に挿入すると、自重により掛止片の下面が当接突起に当接し、掛止片の上面が当接板に当接して、他のバランスゲーム用駒に連結することができる。本願発明に係るバランスゲーム用駒は、バランスゲーム本体のバランスを崩して倒れないようにしながら、掛止片を他のバランスゲーム用駒の掛止部材の当接突起と当接板間に挿入しなければならないので、他のバランスゲーム用駒に衝撃を与えないようにして、ゆっくりと静かに作業しなければならず、連結自体が難しく、高度なゲームにすることができるという効果がある。また、本願発明に係るバランスゲーム用駒は、下方に吊り下げて連結するのではなく、略水平方向に連結していくので、視覚的に面白みのあるゲームにすることができるという効果がある。
【００１７】
本願発明に係るバランスゲーム用駒は、バランスゲーム本体に連結していくバランスゲーム用駒であって、一方に掛止片が設けられ、他方に他のバランスゲーム用駒の掛止片を掛止する掛止部材が設けられ、掛止片は、平板状に形成され、掛止部材は、掛止片の下面に当接する下部当接板と、掛止片の上面に当接する上部当接板を備え、他のバランスゲーム用駒の掛止片を下部当接板と上部当接板で挟持して連結するように形成されている。
【００１８】
本願発明に係るバランスゲーム用駒は、掛止片を他のバランスゲーム用駒の掛止部材の下部当接板と上部当接板間に挿入すると、自重により掛止片の下面が下部当接板に当接し、掛止片の上面が上部当接板に当接して、他のバランスゲーム用駒に連結することができる。本願発明に係るバランスゲーム用駒は、バランスゲーム本体のバランスを崩して倒れないようにしながら、掛止片を他のバランスゲーム用駒の掛止部材の下部当接板と上部当接板間に挿入しなければならないので、他のバランスゲーム用駒に衝撃を与えないようにして、ゆっくりと静かに作業しなければならず、連結自体が難しく、高度なゲームにすることができるという効果がある。また、本願発明に係るバランスゲーム用駒は、下方に吊り下げて連結するのではなく、略水平方向に連結していくので、視覚的に面白みのあるゲームにすることができるという効果がある。
【００１９】
本願発明に係るバランスゲーム用駒は、バランスゲーム本体に連結していくバランスゲーム用駒であって、一方に掛止片が設けられ、他方に他のバランスゲーム用駒の掛止片を掛止する掛止部材が設けられ、掛止片は、平板状に形成され、下面又は上面に当接突起が設けられ、掛止部材は、掛止片の当接突起に当接する下部当接板又は上部当接板と、掛止片の上面又は下面に当接する上部当接板又は下部当接板を備え、他のバランスゲーム用駒の掛止片を下部当接板と上部当接板で挟持して連結するように形成されている。
【００２０】
本願発明に係るバランスゲーム用駒は、掛止片を他のバランスゲーム用駒の掛止部材の下部当接板と上部当接板間に挿入すると、自重により掛止片の下面又は下面に設けられた当接突起が下部当接板に当接し、掛止片の上面に設けられた当接突起又は上面が上部当接板に当接して、他のバランスゲーム用駒に連結することができる。本願発明に係るバランスゲーム用駒は、バランスゲーム本体のバランスを崩して倒れないようにしながら、掛止片を他のバランスゲーム用駒の掛止部材の下部当接板と上部当接板間に挿入しなければならないので、他のバランスゲーム用駒に衝撃を与えないようにして、ゆっくりと静かに作業しなければならず、連結自体が難しく、高度なゲームにすることができるという効果がある。また、本願発明に係るバランスゲーム用駒は、下方に吊り下げて連結するのではなく、略水平方向に連結していくので、視覚的に面白みのあるゲームにすることができるという効果がある。
【００２１】
本願発明に係るバランスゲーム用駒は、掛止片と掛止部材が、別体で構成され、連結軸を介して回動可能に連結されているので、他のバランスゲーム用駒を連結する場合、連結部である掛止部材が回動し、連結の難易度が高くなるという効果がある。また、本願発明に係るバランスゲーム用駒は、バランスゲーム用駒を複数連結した時、バランスゲーム本体の傾動により、連結軸を中心として屈曲し、バランスゲーム本体のバランスが崩れて倒れたりするので、屈曲することを念頭に置いて連結していかなければならず、ゲームをより難しく複雑にすることができるという効果がある。
【００２２】
本願発明に係るバランスゲーム用駒は、バランスゲーム本体に連結していくバランスゲーム用駒であって、下部に設けられた掛止片と、掛止片の上部に設けられた当接板と、掛止片と当接板を連結する連結固定軸とからなり、他のバランスゲーム用駒の掛止片を掛止片と当接板で挟持して連結するように形成されている。
【００２３】
本願発明に係るバランスゲーム用駒は、掛止片を他のバランスゲーム用駒の当接板と掛止片間に挿入すると、自重により掛止片の下面が他のバランスゲーム用駒の掛止片に当接し、掛止片の上面が他のバランスゲーム用駒の当接板に当接して、他のバランスゲーム用駒に連結することができる。本願発明に係るバランスゲーム用駒は、バランスゲーム本体のバランスを崩して倒れないようにしながら、掛止片を他のバランスゲーム用駒の掛止片と当接板間に挿入しなければならないので、他のバランスゲーム用駒に衝撃を与えないようにして、ゆっくりと静かに作業しなければならず、連結自体が難しく、高度なゲームにすることができるという効果がある。また、本願発明に係るバランスゲーム用駒は、下方に吊り下げて連結するのではなく、略水平方向に連結していくので、視覚的に面白みのあるゲームにすることができるという効果がある。
【００２４】
本願発明に係るバランスゲーム用駒は、前記掛止片の上面又は下面に、当接突起が設けられ、他のバランスゲーム用駒の掛止片の当接突起と下面又は上面を、掛止片と当接板で挟持して連結するように形成されていても良い。
【００２５】
本願発明に係るバランスゲーム用駒は、掛止片を他のバランスゲーム用駒の当接板と掛止片間に挿入すると、自重により掛止片の下面又は下面に設けられた当接突起が他のバランスゲーム用駒の掛止片に当接し、掛止片の上面に設けられた当接突起又は上面が他のバランスゲーム用駒の当接板に当接して、他のバランスゲーム用駒に連結することができる。本願発明に係るバランスゲーム用駒は、バランスゲーム本体のバランスを崩して倒れないようにしながら、掛止片を他のバランスゲーム用駒の掛止片と当接板間に挿入しなければならないので、他のバランスゲーム用駒に衝撃を与えないようにして、ゆっくりと静かに作業しなければならず、連結自体が難しく、高度なゲームにすることができるという効果がある。また、本願発明に係るバランスゲーム用駒は、下方に吊り下げて連結するのではなく、略水平方向に連結していくので、視覚的に面白みのあるゲームにすることができるという効果がある。
【００２６】
本願発明に係るバランスゲーム装置は、前記バランスゲーム用駒とバランスゲーム本体とからなり、バランスゲーム本体は、下面が突出して湾曲した基台と、基台の略中央に設けられた支柱と、支柱の上部に設けられた掛止部とからなり、掛止部は、バランスゲーム用駒の掛止片の下面側に当接する当接凸部が形成された下部板と、掛止片の上面側に当接する上部板とを備え、バランスゲーム用駒の掛止片を当接凸部と上部板で挟持して連結するように形成されている。
【００２７】
本願発明に係るバランスゲーム装置は、バランスゲーム用駒の掛止片を掛止部の当接凸部と上部板間に挿入すると、自重により掛止片の下面が当接凸部に当接し、掛止片の上面が上部板に当接して、バランスゲーム用駒をバランスゲーム本体に連結することができる。本願発明に係るバランスゲーム装置は、バランスゲーム本体のバランスを崩して倒れないようにしながら、バランスゲーム用駒の掛止片をバランスゲーム本体の掛止部の当接凸部と上部板間に挿入しなければならないので、ゆっくりと静かに作業しなければならず、連結自体が難しく、高度なゲームにすることができるという効果がある。また、本願発明に係るバランスゲーム装置は、バランスゲーム用駒を下方に吊り下げて連結するのではなく、バランスゲーム用駒を略水平方向に連結していくので、視覚的に面白みのあるゲームにすることができるという効果がある。
【００２８】
本願発明に係るバランスゲーム装置は、前記バランスゲーム用駒とバランスゲーム本体とからなり、バランスゲーム本体は、下面が突出して湾曲した基台と、基台の略中央に設けられた支柱と、支柱の上部に設けられた掛止部とからなり、掛止部は、バランスゲーム用駒の掛止片の下面側に当接する下部板と、掛止片の上面側に当接する上部板とを備え、バランスゲーム用駒の掛止片を下部板と上部板で挟持して連結するように形成されている。
【００２９】
本願発明に係るバランスゲーム装置は、バランスゲーム用駒の掛止片を掛止部の下部板と上部板間に挿入すると、自重により掛止片の下面が下部板に当接し、掛止片の上面が上部板に当接して、バランスゲーム用駒をバランスゲーム本体に連結することができる。本願発明に係るバランスゲーム装置は、バランスゲーム本体のバランスを崩して倒れないようにしながら、バランスゲーム用駒の掛止片をバランスゲーム本体の掛止部の下部板と上部板間に挿入しなければならないので、ゆっくりと静かに作業しなければならず、連結自体が難しく、高度なゲームにすることができるという効果がある。また、本願発明に係るバランスゲーム装置は、バランスゲーム用駒を下方に吊り下げて連結するのではなく、バランスゲーム用駒を略水平方向に連結していくので、視覚的に面白みのあるゲームにすることができるという効果がある。
【図面の簡単な説明】
【００３０】
【図１】本願発明に係るバランスゲーム用駒の一つの実施の形態を示す斜視図である。
【図２】図１のバランスゲーム用駒の要部斜視図である。
【図３】図１のバランスゲーム用駒の説明図であって、（ａ）が平面図、（ｂ）側面図、（ｃ）が底面図である。
【図４】図１のバランスゲーム用駒の連結を示す側面図である。
【図５】図１のバランスゲーム用駒の連結状態を示す側面図である。
【図６】図１のバランスゲーム用駒の連結状態を示す平面図である。
【図７】本願発明に係るバランスゲーム用駒の他の実施の形態を示す斜視図である。
【図８】図７のバランスゲーム用駒の説明図であって、（ａ）が平面図、（ｂ）側面図、（ｃ）が底面図である。
【図９】図７のバランスゲーム用駒の連結を示す側面図である。
【図１０】図７のバランスゲーム用駒の連結状態を示す側面図である。
【図１１】本願発明に係るバランスゲーム用駒の他の実施の形態を示す斜視図である。
【図１２】図１１のバランスゲーム用駒の要部斜視図である。
【図１３】本願発明に係るバランスゲーム用駒の他の実施の形態を示す説明図であって、（ａ）が平面図、（ｂ）側面図、（ｃ）が底面図である。
【図１４】本願発明に係るバランスゲーム装置の一つの実施の形態を示す斜視図である。
【図１５】図１４のバランスゲーム装置の側面図である。
【図１６】本願発明に係るバランスゲーム用駒の他の実施の形態を示す説明図であって、（ａ）が平面図、（ｂ）が連結側面図、（ｃ）が連結底面図である。
【図１７】本願発明に係るバランスゲーム用駒の他の実施の形態を示す説明図であって、（ａ）が平面図、（ｂ）が連結側面図、（ｃ）が連結底面図である。
【図１８】本願発明に係るバランスゲーム用駒の他の実施の形態を示す説明図であって、（ａ）が平面図、（ｂ）が連結平面図、（ｃ）が連結側面図、（ｄ）が連結底面図、（ｅ）連結参考平面図、（ｆ）が連結参考側面図である。
【図１９】本願発明に係るバランスゲーム装置の他の実施の形態を示す側面図である。
【発明を実施するための形態】
【００３１】
以下、本願発明の一つの実施の形態を図面に基づいて説明する。図１，２に示すように、バランスゲーム用駒１は、バランスゲーム本体６１に連結していくバランスゲーム用駒であって（図１４参照）、一方に掛止片１０が設けられ、他方に他のバランスゲーム用駒１の掛止片１０を掛止する掛止部材２が設けられている。掛止片１０は、平板状に形成されている。掛止部材２は、掛止片１０の下面１０ｂに当接する当接突起９と、掛止片１０の上面１０ａに当接する当接板６を備え、他のバランスゲーム用駒１の掛止片１０を当接突起９と当接板６で挟持して連結するように形成されている。
【００３２】
図４に示すように、バランスゲーム用駒１は、掛止片１０を他のバランスゲーム用駒１の掛止部材２の当接突起９と当接板６間に挿入すると、図５に示すように、自重により掛止片１０の下面１０ｂが当接突起９に当接し、掛止片１０の上面１０ａが当接板６に当接して、他のバランスゲーム用駒１に連結することができる。バランスゲーム用駒１は、バランスゲーム本体６１のバランスを崩して倒れないようにしながら、掛止片１０を他のバランスゲーム用駒１の掛止部材２の当接突起９と当接板６間に挿入しなければならないので、他のバランスゲーム用駒１に衝撃を与えないようにして、ゆっくりと静かに作業しなければならず、連結自体が難しく、高度なゲームにすることができる。また、バランスゲーム用駒１は、下方に吊り下げて連結するのではなく、略水平方向に連結していくので、視覚的に面白みのあるゲームにすることができる。
【００３３】
バランスゲーム用駒２１は、図１１，１２に示すように、バランスゲーム本体６１に連結していくバランスゲーム用駒であって（図１４参照）、一方に掛止片３０が設けられ、他方に他のバランスゲーム用駒２１の掛止片３０を掛止する掛止部材２２が設けられている。掛止片３０は、平板状に形成されている。掛止部材２２は、掛止片３０の下面３０ｂに当接する下部当接板２３と、掛止片３０の上面３０ａに当接する上部当接板２６を備え、他のバランスゲーム用駒２１の掛止片３０を下部当接板２３と上部当接板２６で挟持して連結するように形成されている。
【００３４】
バランスゲーム用駒２１は、掛止片３０を他のバランスゲーム用駒２１の掛止部材２２の下部当接板２３と上部当接板２６間に挿入すると、自重により掛止片３０の下面３０ｂが下部当接板２３に当接し、掛止片３０の上面３０ａが上部当接板２６に当接して、他のバランスゲーム用駒２１に連結することができる。バランスゲーム用駒２１は、バランスゲーム本体６１のバランスを崩して倒れないようにしながら、掛止片３０を他のバランスゲーム用駒２１の掛止部材２２の下部当接板２３と上部当接板２６間に挿入しなければならないので、他のバランスゲーム用駒２１に衝撃を与えないようにして、ゆっくりと静かに作業しなければならず、連結自体が難しく、高度なゲームにすることができる。また、バランスゲーム用駒２１は、下方に吊り下げて連結するのではなく、略水平方向に連結していくので、視覚的に面白みのあるゲームにすることができる。
【００３５】
図７乃至１０に示すように、バランスゲーム用駒１は、バランスゲーム本体６１に連結していくバランスゲーム用駒であって（図１４参照）、一方に掛止片１０が設けられ、他方に他のバランスゲーム用駒１の掛止片１０を掛止する掛止部材２が設けられている。掛止片１０は、平板状に形成され、下面１０ｂ又は上面１０ａに当接突起９Ａが設けられている。掛止部材２は、掛止片１０の当接突起９Ａに当接する下部当接板３又は上部当接板６と、掛止片１０の上面１０ａ又は下面１０ｂに当接する上部当接板３又は下部当接板６を備え、他のバランスゲーム用駒１の掛止片１０を下部当接板３と上部当接板６で挟持して連結するように形成されている。
【００３６】
バランスゲーム用駒１は、掛止片１０を他のバランスゲーム用駒１の掛止部材２の下部当接板３と上部当接板６間に挿入すると、自重により掛止片１０の下面１０ｂ又は下面１０ｂに設けられた当接突起９Ａが下部当接板３に当接し、掛止片１０の上面１０ａに設けられた当接突起９Ａ又は上面１０ａが上部当接板６に当接して、他のバランスゲーム用駒１に連結することができる。バランスゲーム用駒１は、バランスゲーム本体６１のバランスを崩して倒れないようにしながら、掛止片１０を他のバランスゲーム用駒１の掛止部材２の下部当接板３と上部当接板６間に挿入しなければならないので、他のバランスゲーム用駒１に衝撃を与えないようにして、ゆっくりと静かに作業しなければならず、連結自体が難しく、高度なゲームにすることができる。また、バランスゲーム用駒１は、下方に吊り下げて連結するのではなく、略水平方向に連結していくので、視覚的に面白みのあるゲームにすることができる。
【００３７】
バランスゲーム用駒１，２１は、図２，１２に示すように、掛止片１０，３０と掛止部材２，２２が、別体で構成され、連結軸１１，３１を介して回動可能に連結されているので、他のバランスゲーム用駒１，２１を連結する場合、連結部である掛止部材２，２２が回動し、連結の難易度が高くなる。また、バランスゲーム用駒１，２１は、バランスゲーム用駒１，２１を複数連結した時、バランスゲーム本体６１の傾動により、連結軸１１，３１を中心として屈曲し、バランスゲーム本体６１のバランスが崩れて倒れたりするので、屈曲することを念頭に置いて連結していかなければならず、ゲームをより難しく複雑にすることができる。
【００３８】
バランスゲーム用駒７１，８１，９１は、図１６乃至１９に示すように、バランスゲーム本体１０１に連結していくバランスゲーム用駒であって、下部に設けられた掛止片７２，８２，９２と、掛止片７２，８２，９２の上部に設けられた当接板７３，８３，９３と、掛止片７２，８２，９２と当接板７３，８３，９３を連結する連結固定軸７５，８５，９５とからなり、他のバランスゲーム用駒７１，８１，９１の掛止片７２，８２，９２を掛止片７２，８２，９２と当接板７３，８３，９３で挟持して連結するように形成されている。
【００３９】
バランスゲーム用駒７１，８１，９１は、掛止片７２，８２，９２を他のバランスゲーム用駒７１，８１，９１の当接板７３，８３，９３と掛止片７２，８２，９２間に挿入すると、自重により掛止片７２，８２，９２の下面７２ｂ，８２ｄ，９２ｂが他のバランスゲーム用駒７１，８１，９１の掛止片７２，８２，９２に当接し、掛止片７２，８２，９２の上面７２ａ，８２ｃ，９２ａが他のバランスゲーム用駒７１，８１，９１の当接板７３，８３，９３に当接して、他のバランスゲーム用駒７１，８１，９１に連結することができる。バランスゲーム用駒７１，８１，９１は、バランスゲーム本体１０１のバランスを崩して倒れないようにしながら、掛止片７２，８２，９２を他のバランスゲーム用駒７１，８１，９１の掛止片７２，８２，９２と当接板７３，８３，９３間に挿入しなければならないので、他のバランスゲーム用駒７１，８１，９１に衝撃を与えないようにして、ゆっくりと静かに作業しなければならず、連結自体が難しく、高度なゲームにすることができる。また、バランスゲーム用駒７１，８１，９１は、下方に吊り下げて連結するのではなく、略水平方向に連結していくので、視覚的に面白みのあるゲームにすることができる。
【００４０】
バランスゲーム用駒７１，８１，９１は、前記掛止片７２，８２，９２の上面７２ａ，８２ｃ，９２ａ又は下面７２ｂ，８２ｄ，９２ｂに、当接突起７６，８６，９６が設けられ、他のバランスゲーム用駒７１，８１，９１の掛止片７２，８２，９２の当接突起７６，８６，９６と下面７２ｂ，８２ｄ，９２ｂ又は上面７２ａ，８２ｃ，９２ａを、掛止片７２，８２，９２と当接板７３，８３，９３で挟持して連結するように形成されていても良い。
【００４１】
バランスゲーム用駒７１，８１，９１は、掛止片７２，８２，９２を他のバランスゲーム用駒７１，８１，９１の当接板７３，８３，９３と掛止片７２，８２，９２間に挿入すると、自重により掛止片７２，８２，９２の下面７２ｂ，８２ｄ，９２ｂ又は下面７２ｂ，８２ｄ，９２ｂに設けられた当接突起７６，８６，９６が他のバランスゲーム用駒７１，８１，９１の掛止片７２，８２，９２に当接し、掛止片７２，８２，９２の上面７２ａ，８２ｃ，９２ａに設けられた当接突起７６，８６，９６又は上面７２ａ，８２ｃ，９２ａが他のバランスゲーム用駒７１，８１，９１の当接板７３，８３，９３に当接して、他のバランスゲーム用駒７１，８１，９１に連結することができる。バランスゲーム用駒７１，８１，９１は、バランスゲーム本体１０１のバランスを崩して倒れないようにしながら、掛止片７２，８２，９２を他のバランスゲーム用駒７１，８１，９１の掛止片７２，８２，９２と当接板７３，８３，９３間に挿入しなければならないので、他のバランスゲーム用駒７１，８１，９１に衝撃を与えないようにして、ゆっくりと静かに作業しなければならず、連結自体が難しく、高度なゲームにすることができる。また、バランスゲーム用駒７１，８１，９１は、下方に吊り下げて連結するのではなく、略水平方向に連結していくので、視覚的に面白みのあるゲームにすることができる。
【００４２】
バランスゲーム装置６０，１００は、図１４，１５，１９に示すように、前記バランスゲーム用駒１，２１，７１，８１，９１とバランスゲーム本体６１，１０１とからなる。バランスゲーム本体６１，１０１は、下面６３，１０３が突出して湾曲した基台６２，１０２と、基台６２，１０２の略中央に設けられた支柱６４，１０４と、支柱６４，１０４の上部に設けられた掛止部６５，１０５とからなる。掛止部６５，１０５は、バランスゲーム用駒１，２１，７１，８１，９１の掛止片１０，３０，７２，８２，９２の下面側に当接する当接凸部６７が形成された下部板６８，１０８と、掛止片１０，３０，７２，８２，９２の上面側に当接する上部板６６，１０９とを備え、バランスゲーム用駒１，２１，７１，８１，９１の掛止片１０，３０，７２，８２，９２を当接凸部６７と上部板６６，１０９で挟持して連結するように形成されている。
【００４３】
バランスゲーム装置６０，１００は、バランスゲーム用駒１，２１，７１，８１，９１の掛止片１０，３０，７２，８２，９２を掛止部６５，１０５の当接凸部６７と上部板６６，１０９間に挿入すると、自重により掛止片１０，３０，７２，８２，９２の下面が当接凸部６７に当接し、掛止片１０，３０，７２，８２，９２の上面が上部板６６，１０９に当接して、バランスゲーム用駒１，２１，７１，８１，９１をバランスゲーム本体６１，１０１に連結することができる。バランスゲーム装置６０，１００は、バランスゲーム本体６１，１０１のバランスを崩して倒れないようにしながら、バランスゲーム用駒１，２１，７１，８１，９１の掛止片１０，３０，７２，８２，９２をバランスゲーム本体６１，１０１の掛止部６５，１０５の当接凸部６７と上部板６６，１０９間に挿入しなければならないので、ゆっくりと静かに作業しなければならず、連結自体が難しく、高度なゲームにすることができる。また、バランスゲーム装置６０，１００は、バランスゲーム用駒１，２１，７１，８１，９１を下方に吊り下げて連結するのではなく、バランスゲーム用駒１，２１，７１，８１，９１を略水平方向に連結していくので、視覚的に面白みのあるゲームにすることができる。
【００４４】
バランスゲーム装置６０，１００は、掛止部６５，１０５がバランスゲーム用駒１，２１，７１，８１，９１の掛止片１０，３０，７２，８２，９２の下面側に当接する下部板６８，１０８と、掛止片１０，３０，７２，８２，９２の上面側に当接する上部板６６，１０９とを備え、バランスゲーム用駒１，２１，７１，８１，９１の掛止片１０，３０，７２，８２，９２を下部板６８，１０８と上部板６６，１０９で挟持して連結するように形成されても良い。このように形成すると、バランスゲーム装置６０，１００は、バランスゲーム用駒１，２１，７１，８１，９１の掛止片１０，３０，７２，８２，９２を掛止部６５，１０５の下部板６８，１０８と上部板６６，１０９間に挿入すると、自重により掛止片１０，３０，７２，８２，９２の下面が下部板６８，１０８に当接し、掛止片１０，３０，７２，８２，９２の上面が上部板６６，１０９に当接して、バランスゲーム用駒１，２１，７１，８１，９１をバランスゲーム本体６１，１０１に連結することができる。バランスゲーム装置６０，１００は、バランスゲーム本体６１，１０１のバランスを崩して倒れないようにしながら、バランスゲーム用駒１，２１，７１，８１，９１の掛止片１０，３０，７２，８２，９２をバランスゲーム本体６１，１０１の掛止部６５，１０５の下部板６８，１０８と上部板６６，１０９間に挿入しなければならないので、ゆっくりと静かに作業しなければならず、連結自体が難しく、高度なゲームにすることができる。
【００４５】
さらに、バランスゲーム用駒１について詳細に説明する。図１〜３に示すように、バランスゲーム用駒１は、合成樹脂によって形成され、掛止部材２と、掛止部材２に回動可能に連結された掛止片１０とからなる。掛止部材２は、基板（下部当接板）３と、基板３の略中央に立設された支軸５と、支軸５の上端に設けられた上部当接板６とからなる。
【００４６】
基板３は、平板状に形成され、先端７が円弧状に緩やかに湾曲しており、当該先端７の上部に先端７と同様に緩やかに湾曲した当接突起９が形成されている。また、基板３は、後部８に掛止片１０が連結軸１１により回動可能に連結されている。
【００４７】
掛止片１０は、扇板状に形成され、後端１２が円弧状に緩やかに湾曲しており、前部１３が基板３の後部８に連結軸１１を介して回動可能に取り付けられている。掛止片１０は、前部１３下面１０ｂに前記当接突起９と略同じ高さの円軸形のボス１４が形成されている。前記連結軸１１は、ボス１４の略中心を貫通している。連結軸１１には、上補助円板１５が掛止片１０の上面１０ａに接触して設けられ、下補助円板１８が基板３の下面３ｂに接触して設けられている。下補助円板１８と上補助円板１５は、基板３と掛止片１０を挟み込むようになっており、掛止片１０の連結軸１１廻りの回転を確実に行わせる。
【００４８】
基板３は、略中央に支軸５が一体に形成され、支軸５の上端に上部当接板６がネジ等の固定手段１７により固定されている。上部当接板６は、基板３と略平行であって、先端７側に延設されている。上部当接板６は、基板３より短く形成されており、先端１９が当接突起９よりも支軸５側に位置している。なお、当接突起９と上部当接板６との間隔Ｓは、掛止片１０の厚みと略同程度若しくは掛止片１０の厚みより若干長く形成されている。
【００４９】
バランスゲーム用駒１は、図４乃至６に示すように、他のバランスゲーム用駒１に連結することができる。バランスゲーム用駒１は、掛止部材２（又は掛止片１０）を把持し、掛止片１０を他のバランスゲーム用駒１の当接突起９と上部当接板６との間に差し込む。掛止片１０は、図４に示すように、当接突起９の存在により上方から斜めに差し込むことができるので、連結が容易である。
【００５０】
バランスゲーム用駒１は、掛止片１０を差し込んでから、掛止部材２（又は掛止片１０）の把持を解除すると、図５に示すように、自重により、先端７側が下方（Ｘ方向）に負荷がかかり、他のバランスゲーム用駒１の当接突起９を支点として、掛止片１０の後端１２が上方（Ｙ方向）に付勢されて他のバランスゲーム用駒１の上部当接板６に圧接する。このように、バランスゲーム用駒１は、これの掛止片１０を他のバランスゲーム用駒１の掛止部材２に差し込むようにして、他のバランスゲーム用駒１に連結していくことができる。なお、掛止片１０は、当接突起９と上部当接板６により略水平に保持することができるが、当接突起９を高くすることにより斜め上方に傾斜させて連結保持することも可能であり、当接突起９の高さにより連結角度を調節することができる。バランスゲーム用駒１は、掛止部材２（又は掛止片１０）に対して掛止片１０（又は掛止部材２）が回動可能であり、掛止片１０を他のバランスゲーム用駒１の掛止部材２に差し込む場合、掛止片１０（又は掛止部材２）が回動するので、バランスゲームの連結（ゲーム性）の難易度を高くすることができる。
【００５１】
バランスゲーム用駒１は、基板（下部当接板）３の上面３ａに当接突起９が設けられているが、図７乃至図１０に示すように、当接突起９Ａを掛止片１０の下面１０ｂ（又は上面１０ａ）に設けても良い。バランスゲーム用駒１は、掛止片１０を他のバランスゲーム用駒１の掛止部材２に差し込むと、自重により、先端７側が下方（Ｘ方向）に負荷がかかり、当接突起９Ａが基板（下部当接板）３の上面３ａに圧接し、この当接突起９Ａを支点として、掛止片１０の後端１２が上方（Ｙ方向）に付勢されて他のバランスゲーム用駒１の上部当接板６に圧接する。このように、バランスゲーム用駒１は、これの掛止片１０を他のバランスゲーム用駒１の掛止部材２に差し込むようにして、他のバランスゲーム用駒１に連結していくことができる。
【００５２】
バランスゲーム用駒２１について詳細に説明する。図１１，１２に示すように、バランスゲーム用駒２１は、合成樹脂によって形成され、掛止部材２２と、掛止部材２２に回動可能に連結された掛止片３０とからなる。掛止部材２２は、下部当接板２３と、下部当接板２３の略中央に立設された支軸２５と、支軸２５の上端に設けられた上部当接板２６とからなる。
【００５３】
下部当接板２３は、平板状に形成され、先端２７が円弧状に緩やかに湾曲して形成されている。また、下部当接板２３は、後部２８に掛止片３０が連結軸３１により回動可能に連結されている。掛止片３０は、扇板状に形成され、後端３２が円弧状に緩やかに湾曲しており、前部３３が下部当接板２３の後部２８に連結軸３１を介して回動可能に取り付けられている。連結軸３１には、補助円板３５が掛止片３０の上面３０ａに接触して設けられている。補助円板３５は、これと下部当接板２３とで掛止片３０を挟み込むようになっており、掛止片３０の連結軸３１廻りの回転を確実に行わせる。
【００５４】
下部当接板２３は、略中央に支軸２５が一体に形成され、支軸２５の上端に上部当接板２６がネジ等の固定手段３７により固定されている。上部当接板２６は、下部当接板２３と略平行であって、先端２７側に延設されている。上部当接板２６は、下部当接板２３より短く形成されている。なお、下部当接板２３と上部当接板２６との間隔は、掛止片３０の厚みと略同程度若しくは掛止片３０の厚みより若干長く形成されている。
【００５５】
バランスゲーム用駒２１は、他のバランスゲーム用駒２１に連結することができる。バランスゲーム用駒２１は、掛止部材２２（又は掛止片３０）を把持し、掛止片３０を他のバランスゲーム用駒２１の下部当接板２３と上部当接板２６との間に差し込む。
【００５６】
バランスゲーム用駒２１は、掛止片３０を差し込んでから、掛止部材２２（又は掛止片３０）の把持を解除すると、自重により、先端２７側が下方（Ｘ方向）に負荷がかかり、他のバランスゲーム用駒２１の下部当接板２３を支点として、掛止片３０の後端３２が上方（Ｙ方向）に付勢されて他のバランスゲーム用駒２１の上部当接板２６に圧接する。このように、バランスゲーム用駒２１は、これの掛止片３０を他のバランスゲーム用駒２１の掛止部材２２に差し込むようにして、他のバランスゲーム用駒２１に連結していくことができる。バランスゲーム用駒２１は、掛止部材２２（又は掛止片３０）に対して掛止片３０（又は掛止部材２２）が回動可能であり、掛止片３０を他のバランスゲーム用駒２１の掛止部材２２に差し込む場合、掛止片３０（又は掛止部材２２）が回動するので、バランスゲームの連結（ゲーム性）の難易度を高くすることができる。
【００５７】
バランスゲーム用駒４１について詳細に説明する。図１３に示すように、バランスゲーム用駒４１は、合成樹脂によって一体形成され、掛止部材４２と、掛止部材４２に連結された掛止片５０とからなる。掛止部材４２は、基板（下部当接板）４３と、基板４３の略中央に立設された固定軸４５と、固定軸４５の上端に設けられた上部当接板４６とからなる。
【００５８】
基板４３は、平板状に形成され、先端４７が円弧状に緩やかに湾曲しており、当該先端４７の上部に先端４７と同様に緩やかに湾曲した当接突起４９が形成されている。また、基板４３は、後部４８に掛止片５０が連結板５１により一体的に連結されている。
【００５９】
掛止片５０は、扇板状に形成され、後端５２が円弧状に緩やかに湾曲しており、前部５３が基板４３の後部４８に連結板５１を介して一体的に連結されている。基板４３は、略中央に固定軸４５が一体に形成され、固定軸４５の上端に上部当接板４６が一体形成されている。上部当接板４６は、基板４３と略平行であって、先端４７側に延設されている。上部当接板４６は、基板４３より短く形成されており、先端５９が当接突起４９よりも固定軸４５側に位置している。なお、当接突起４９と上部当接板４６との間隔は、掛止片５０の厚みと略同程度若しくは掛止片５０の厚みより若干長く形成されている。
【００６０】
バランスゲーム用駒４１は、他のバランスゲーム用駒４１に連結することができる。バランスゲーム用駒４１は、掛止部材４２を把持し、掛止片５０を他のバランスゲーム用駒４１の当接突起４９と上部当接板４６との間に差し込む。掛止片５０は、当接突起４９と上部当接板４６との間に上方から斜めに差し込むことができるので、連結が容易である。
【００６１】
バランスゲーム用駒４１は、掛止片５０を差し込んでから、掛止部材４２の把持を解除すると、自重により、先端４７側が下方に負荷がかかり、他のバランスゲーム用駒４１の当接突起４９を支点として、掛止片５０の後端５２が上方に付勢されて他のバランスゲーム用駒４１の上部当接板４６に圧接する。このように、バランスゲーム用駒４１は、これの掛止片５０を他のバランスゲーム用駒４１の掛止部材４２に差し込むようにして、他のバランスゲーム用駒４１に連結していくことができる。
【００６２】
バランスゲーム用駒１，２１，４１を取り付けるバランスゲーム本体６１について、図１４，１５に基づいて詳細に説明する。バランスゲーム本体６１は、下面６３が円弧状に突出した基台６２と、基台６２の上面略中央に設けられた支柱６４と、支柱６４の上部に設けられ、前記バランスゲーム用駒１，２１，４１を掛止する掛止部６５とからなる。
【００６３】
掛止部６５は、下部円板６８と、下部円板６８より小径の上部円板６６とからなる。下部円板６８と上部円板６６は、支柱６４の上部に略平行に取り付けられている。下部円板６８の外周縁には、当接凸部６７が延設され、上部円板６６の外周縁６９が当接凸部６７よりも支柱６４側に位置している。なお、当接凸部６７と上部円板６６との間隔は、掛止片１０，３０，５０の厚みと略同程度若しくは掛止片１０，３０，５０の厚みより若干長く形成されている。バランスゲーム用駒１，２１，４１とバランスゲーム本体６１とでバランスゲーム装置６０を構成する。
【００６４】
バランスゲーム用駒１，２１，４１は、掛止部材２，２２，４２を把持し、掛止片１０，３０，５０をバランスゲーム本体６１の当接凸部６７と上部円板６６との間に差し込む。掛止片１０，３０，５０は、当接凸部６７の存在により、当接凸部６７と上部円板６６との間に上方から斜めに差し込むことができるので、連結が容易である。
【００６５】
バランスゲーム用駒１，２１，４１は、掛止片１０，３０，５０を差し込んでから、掛止部材２，２２，４２の把持を解除すると、自重により、先端７，２７，５９側が下方（Ｘ方向）に負荷がかかり、バランスゲーム本体６１の当接凸部６７を支点として、掛止片１０，３０，５０の後端１２，３２，５２が上方（Ｙ方向）に付勢されてバランスゲーム本体６１の上部円板６６に圧接する。このように、バランスゲーム用駒１，２１，４１は、これの掛止片１０，３０，５０をバランスゲーム本体６１の掛止部６５に差し込むようにして、バランスゲーム本体６１に連結していくことができる。掛止部６５は、下部円板６８と上部円板６６が円形に形成されているため、環状となっており、バランスゲーム用駒１，２１，４１をどの位置からでも連結することができる。なお、掛止片１０，３０，５０は、当接凸部６７と上部円板６６により略水平に保持することができるが、当接凸部６７を高くすることにより斜め上方に傾斜させて連結保持することも可能であり、当接凸部６７の高さにより連結角度を調節することができる。
【００６６】
バランスゲーム用駒１，２１，４１は、バランスゲーム本体６１に連結していくと略水平方向に伸びていくことになるが、バランスゲーム本体６１のバランスが崩れてバランスゲーム本体６１が傾くことになる。このバランスゲーム本体６１のバランスを元に戻すため、傾いた側とは反対側の位置にバランスゲーム用駒１，２１，４１を連結して、バランスの調整を行い、バランスゲーム本体６１が倒れないようにする。係る場合、バランスゲーム用駒１，２１は、連結軸１１，３１を中心として掛止部材２，２２と掛止片１０，３０が回動するので、直列状に連結したバランスゲーム用駒１，２１が屈曲して、遊戯者の意図とは無関係にバランスが崩れてバランスゲーム本体６１が倒れる場合がある。このように、バランスゲーム装置６０は、連結したバランスゲーム用駒１，２１の屈曲を考えながら、さらに連結していくので、難易度の高いバランスゲームとなっている。
【００６７】
バランスゲーム本体６１は、バランスゲーム用駒１，２１，４１の掛止片１０，３０，５０を当接凸部６７と上部円板６６とで挟持する構成であるが、下部円板６８と上部円板６６とで挟持するようにしても構わない（図１９参照）。この場合は、下部円板６８と上部円板６６との間隔が、掛止片１０，３０，５０の厚みと略同程度若しくは掛止片１０，３０，５０の厚みより若干長く形成されていることが望ましい。
【００６８】
さらに、バランスゲーム用駒７１について詳細に説明する。図１６に示すように、バランスゲーム用駒７１は、合成樹脂によって形成され、下部に設けられた掛止片７２と、掛止片７２の上部に設けられた当接板７３と、掛止片７２と当接板７３を連結する連結固定軸７５とからなる。バランスゲーム用駒７１は、他のバランスゲーム用駒７１の掛止片７２を掛止片７２と当接板７３で挟持して連結するように形成されている。
【００６９】
掛止片７２及び当接板７３は円板状に形成され、円軸状の連結固定軸７５により一体的に連結固定されている。当接板７３は、掛止片７２と略平行であって、掛止片７２より小径に形成されている。掛止片７２の下面７２ｂには、略リング状の当接突起７６が形成されている。なお、掛止片７２と当接板７３との間隔Ｓは、掛止片７２と当接突起７６との厚みと略同程度若しくはこの厚みより若干長く形成されている。
【００７０】
バランスゲーム用駒８１について詳細に説明する。図１７に示すように、バランスゲーム用駒８１は、合成樹脂によって形成され、下部に設けられた掛止片８２と、掛止片８２の上部に設けられた当接板８３と、掛止片８２と当接板８３を連結する連結固定軸８５とからなる。バランスゲーム用駒８１は、他のバランスゲーム用駒８１の掛止片８２を掛止片８２と当接板８３で挟持して連結するように形成されている。
【００７１】
掛止片８２は、円板状の基部８２ａと、基部８２ａの周縁３箇所に形成された略半円板状の掛止部８２ｂとからなる。当接板８３は円板状に形成されている。掛止片８２と当接板８３は、円軸状の連結固定軸８５により一体的に連結固定されている。掛止片８２は、当接板８３と略平行であって、掛止部８２ｂが当接板８３の周縁から突出するように形成されている。掛止部８２ｂの下面８２ｄには、略リング状の当接突起８６が形成されている。なお、掛止片８２と当接板８３との間隔Ｓは、掛止片８２と当接突起８６との厚みと略同程度若しくはこの厚みより若干長く形成されている。
【００７２】
バランスゲーム用駒９１について詳細に説明する。図１８に示すように、バランスゲーム用駒９１は、合成樹脂によって形成され、下部に設けられた掛止片９２と、掛止片９２の上部に設けられた当接板９３と、掛止片９２と当接板９３を連結する連結固定軸９５とからなる。バランスゲーム用駒９１は、他のバランスゲーム用駒９１の掛止片９２を掛止片９２と当接板９３で挟持して連結するように形成されている。
【００７３】
掛止片９２及び当接板９３は三角板状に形成され、円軸状の連結固定軸９５により一体的に連結固定されている。当接板９３は、掛止片９２と略平行であって、掛止片９２より小さく形成されている。掛止片９２の下面９２ｂには、略リング状の当接突起９６が形成されている。なお、掛止片９２と当接板９３との間隔Ｓは、掛止片９２と当接突起９６との厚みと略同程度若しくはこの厚みより若干長く形成されている。バランスゲーム用駒７１，８１，９１は、掛止片７２，８２，９２の下面７２ｂ，８２ｄ，９２ｂに当接突起７６，８６，９６が形成されているが、上面７２ａ，８２ｃ，９２ａに当接突起７６，８６，９６を形成してもかまわない。
【００７４】
バランスゲーム用駒７１，８１，９１は、図１６乃至１８に示すように、他のバランスゲーム用駒７１，８１，９１に連結することができる。バランスゲーム用駒７１，８１，９１は、掛止片７２，８２，９２を他のバランスゲーム用駒７１，８１，９１の掛止片７２，８２，９２と当接板７３，８３，９３との間に差し込むことにより連結される。
【００７５】
バランスゲーム用駒７１，８１，９１は、掛止片７２，８２，９２を他のバランスゲーム用駒７１，８１，９１の掛止片７２，８２，９２と当接板７３，８３，９３との間に差し込むと、自重により、当接突起７６，８６，９６が他のバランスゲーム用駒７１，８１，９１の掛止片７２，８２，９２の上面７２ａ，８２ｃ，９２ａに当接し、当接突起７６，８６，９６を支点として、掛止片７２，８２ｂ，９２の先端７９，８９，９９が上方（Ｙ方向）に付勢されて他のバランスゲーム用駒７１，８１，９１の当接板７３，８３，９３に圧接する。このように、バランスゲーム用駒７１，８１，９１は、これの掛止片７２，８２（８２ｂ），９２を他のバランスゲーム用駒７１，８１，９１の掛止片７２，８２，９２と当接板７３，８３，９３の間に差し込むようにして、他のバランスゲーム用駒７１，８１，９１に連結していくことができる。
【００７６】
バランスゲーム用駒７１，８１，９１を取り付けるバランスゲーム本体１０１について、図１９に基づいて詳細に説明する。バランスゲーム本体１０１は、下面１０３が円弧状に突出した基台１０２と、基台１０２の上面略中央に設けられた支柱１０４と、支柱１０４の上部に設けられ、前記バランスゲーム用駒７１，８１，９１を掛止する掛止部１０５とからなる。
【００７７】
掛止部１０５は、下部円板１０８と、下部円板１０８より小径の上部円板１０９とからなる。下部円板１０８と上部円板１０９は、支柱１０４の上部に略平行に取り付けられている。下部円板１０８は、上部円板１０９よりも外径が大きく形成されている。なお、下部円板１０８と上部円板１０９との間隔Ｓは、バランスゲーム用駒７１，８１，９１の掛止片７２，８２，９２と当接突起７６，８６，９６の厚みと略同程度若しくはこの厚みより若干長く形成されている。バランスゲーム用駒７１，８１，９１とバランスゲーム本体１０１とでバランスゲーム装置１００を構成する。
【００７８】
バランスゲーム用駒７１，８１，９１は、掛止片７２，８２（８２ｂ），９２をバランスゲーム本体１０１の下部円板１０８と上部円板１０９との間に差し込む。バランスゲーム用駒７１，８１，９１は、掛止片７２，８２（８２ｂ），９２を下部円板１０８と上部円板１０９との間に差し込むと、自重により当接突起７６，８６，９６がバランスゲーム本体１０１の下部円板１０８の上面１０８ａに当接し、当接突起７６，８６，９６を支点として、掛止片７２，８２（８２ｂ），９２の先端７９，８９，９９が上方（Ｙ方向）に付勢されてバランスゲーム本体１０１の上部円板１０９に圧接する。このように、バランスゲーム用駒７１，８１，９１は、これの掛止片７２，８２（８２ｂ），９２をバランスゲーム本体１０１の掛止部１０５に差し込むようにして、バランスゲーム本体１０１に連結していくことができる。掛止部１０５は、下部円板１０８と上部円板１０９が円形に形成されているため、環状となっており、バランスゲーム用駒７１，８１，９１をどの位置からでも連結することができる。
【００７９】
バランスゲーム用駒７１，８１，９１は、自分の掛止片７２，８２（８２ｂ），９２を他のバランスゲーム用駒７１，８１，９１の掛止片７２，８２，９２と当接板７３，８３，９３との間に差し込むようにして、他のバランスゲーム用駒７１，８１，９１に連結していくが、逆に、他のバランスゲーム用駒７１，８１，９１の掛止片７２，８２，９２を自分の掛止片７２，８２，９２と当接板７３，８３，９３との間に挿入させて連結するようにしても構わないのは勿論である。
【００８０】
バランスゲーム用駒７１，８１，９１は、バランスゲーム本体１０１に連結していくと略水平方向に伸びていくことになるが、バランスゲーム本体１０１のバランスが崩れてバランスゲーム本体１０１が傾くことになる。このバランスゲーム本体１０１のバランスを元に戻すため、傾いた側とは反対側の位置にバランスゲーム用駒７１，８１，９１を連結して、バランスの調整を行い、バランスゲーム本体１０１が倒れないようにする。
【産業上の利用可能性】
【００８１】
本発明は、ゲーム本体が倒れないようにして、バランスゲーム用駒を連続的に繋げてゲームを行うバランスゲーム玩具に利用可能である。
【符号の説明】
【００８２】
Ｓ  間隔
１  バランスゲーム用駒
２  掛止部材
３  基板（下部当接板）
３ａ  上面
３ｂ  下面
５  支軸
６  上部当接板（当接板）
７  先端
８  後部
９  当接突起
９Ａ  当接突起
１０  掛止片
１０ａ  上面
１０ｂ  下面
１１  連結軸
１２  後端
１３  前部
１４  ボス
１５  上補助円板
１７  固定手段
１８  下補助円板
１９  先端
２１  バランスゲーム用駒
２２  掛止部材
２３  下部当接板
２５  支軸
２６  上部当接板
２７  先端
２８  後部
３０  掛止片
３０ａ  上面
３０ｂ  下面
３１  連結軸
３２  後端
３３  前部
３５  補助円板
３７  固定手段
４１  バランスゲーム用駒
４２  掛止部材
４３  基板
４５  固定軸
４６  上部当接板
４７  先端
４８  後部
４９  当接突起
５０  掛止片
５１  連結板
５２  後端
５３  前部
５９  先端
６０  バランスゲーム装置
６１  バランスゲーム本体
６２  基台
６３  下面
６４  支柱
６５  掛止部
６６  上部円板（上部板）
６７  当接凸部
６８  下部円板（下部板）
６９  外周縁
７１  バランスゲーム用駒
７２  掛止片
７２ａ  上面
７２ｂ  下面
７３  当接板
７５  連結固定軸
７６  当接突起
７９  先端
８１  バランスゲーム用駒
８２  掛止片
８２ａ  基部
８２ｂ  掛止部
８２ｃ  上面
８２ｄ  下面
８３  当接板
８５  連結固定軸
８６  当接突起
８９  先端
９１  バランスゲーム用駒
９２  掛止片
９２ａ  上面
９２ｂ  下面
９３  当接板
９５  連結固定軸
９６  当接突起
９９  先端
１００  バランスゲーム装置
１０１  バランスゲーム本体
１０２  基台
１０３  下面
１０４  支柱
１０５  掛止部
１０８  下部円板（下部板）
１０８ａ  上面
１０９  上部円板（上部板）
【図１】
2013085697.tif 000003
【図２】
2013085697.tif 000004
【図３】
2013085697.tif 000005
【図４】
2013085697.tif 000006
【図５】
2013085697.tif 000007
【図６】
2013085697.tif 000008
【図７】
2013085697.tif 000009
【図８】
2013085697.tif 000010
【図９】
2013085697.tif 000011
【図１０】
2013085697.tif 000012
【図１１】
2013085697.tif 000013
【図１２】
2013085697.tif 000014
【図１３】
2013085697.tif 000015
【図１４】
2013085697.tif 000016
【図１５】
2013085697.tif 000017
【図１６】
2013085697.tif 000018
【図１７】
2013085697.tif 000019
【図１８】
2013085697.tif 000020
【図１９】
2013085697.tif 000021